(57)【要約】【課題】有機ＥＬパネルから発する輻射雑音を大幅に低減し、また、余分なコストアップを招来することのない有機ＥＬ照明装置を提供する。【解決手段】透明の基板２上に透明電極３、有機発光層４、背面電極５が順次積層された有機ＥＬパネル１を備え、この有機ＥＬパネル１の発光面を除く部分が導電性の筐体６で全体的に覆われており、かつ、有機ＥＬパネル１を構成する透明電極３と背面電極５とが有機ＥＬパネル１の発光駆動用の駆動電源７に接続されるとともに、透明電極３が接地されている。【選択図】図１
2007227523.tif 000002
【特許請求の範囲】
【請求項１】
透明の基板上に透明電極、有機発光層、背面電極が順次積層された有機ＥＬパネルを備えるとともに、この有機ＥＬパネルの発光面を除く部分が導電性の筐体で全体的に覆われており、かつ、前記有機ＥＬパネルを構成する透明電極と背面電極とが有機ＥＬパネルの発光駆動用の駆動電源に接続されるとともに、前記透明電極が接地されていることを特徴とする有機ＥＬ照明装置。
【請求項２】
前記背面電極は透明電極として形成されるとともに、前記有機ＥＬパネルと前記筐体との間に光反射材が介在されていることを特徴とする請求項１記載の有機ＥＬ照明装置。
【発明の詳細な説明】
【技術分野】
【０００１】
本発明は、有機ＥＬ照明装置に関する。
【背景技術】
【０００２】
一般に、自発光型のＥＬ素子は、ＥＬ（エレクトロルミネッセンス）現象を利用しているので、発熱がほとんどなく、また、軽量、薄型であり、特に、有機ＥＬ素子は、無機ＥＬ素子に比較して色の選択が容易で、駆動電圧が低くて省電力であるなど、種々の利点を有している。
【０００３】
ところで、近年は、光ポスターのように大面積を照明する面発光光源として、有機ＥＬ照明装置が要望されている。このような有機ＥＬ照明装置は、例えば透明の基板上にＩＴＯやＺｎＯなどの透明電極、有機発光層、および光反射用の金属膜からなる背面電極を順次積層して有機ＥＬパネルを構成し、この有機ＥＬパネルの透明電極と背面電極との間に電圧を印加して有機発光層を発光させるものである。
【０００４】
また、このような有機ＥＬパネル照明装置では、明るさを調整できるようにする必要があることから、駆動電源から有機ＥＬパネルに電圧を印加する期間と電圧を印加しない期間の比率を変える、いわゆるＰＷＭ制御により調光する方式が考えられている。
【０００５】
ところで、有機ＥＬパネルをＰＷＭ制御によって調光するような場合、パルス状の電圧が印加されるために、その際の電圧変動に伴って有機ＥＬパネルから輻射雑音が放射される。特に、有機ＥＬパネルの透明電極に電源の正極を、背面電極に負極をそれぞれ単純に接続して駆動する場合には、光の放射方向に位置する透明電極の電位が変動し易く、その結果、放射雑音が多くなる。
【０００６】
そこで、従来技術では、有機ＥＬパネルの背面電極のさらに背面側にノイズ減少電極を設け、このノイズ減少電極と透明電極とを共に接地した状態にすることにより、有機ＥＬパネルに電圧を印加した際に生じる輻射雑音をノイズ減少電極で吸収してノイズ低減を図るようにしたものが提案されている（例えば、特許文献１，２参照）。
【特許文献１】特開２００４−１５８４５１号公報
【特許文献２】特公昭５８−９３９３号公報
【発明の開示】
【発明が解決しようとする課題】
【０００７】
しかしながら、上記の特許文献１，２に記載されているものは、有機ＥＬパネルの発光面を除く部分をノイズ減少用電極で全体的に覆ったものではなく、有機ＥＬパネルの一面のみを覆って局部的にノイズ減少電極が設けられた構成となっている。このため、有機ＥＬパネルの側面から輻射雑音が依然として漏れるおそれがある。
【０００８】
また、特許文献１，２のように、有機ＥＬパネルの背面電極のさらに裏面側にノイズ減少電極を設けるのは、有機ＥＬパネルの製作時に余分な工数と手間がかかり、照明器具として使用する場合にコストアップの要因になるという問題がある。
【０００９】
本発明は、上記の課題を解決するためになされたもので、有機ＥＬパネルから発する輻射雑音を大幅に低減し、また、余分なコストアップを招来することのない有機ＥＬ照明装置を提供することを目的とする。
【課題を解決するための手段】
【００１０】
上記の目的を達成するために、請求項１記載の発明に係る有機ＥＬ照明装置は、透明の基板上に透明電極、有機発光層、背面電極が順次積層された有機ＥＬパネルを備えるとともに、この有機ＥＬパネルの発光面を除く部分が導電性の筐体で全体的に覆われており、かつ、前記有機ＥＬパネルを構成する透明電極と背面電極とが有機ＥＬパネルの発光駆動用の駆動電源に接続されるとともに、前記透明電極が接地されていることを特徴としている。
【００１１】
また、請求項２記載の発明に係る有機ＥＬ照明装置は、請求項１記載の発明の構成において、前記背面電極は透明電極として形成されるとともに、前記有機ＥＬパネルと前記筐体との間に光反射材が介在されていることを特徴としている。
【発明の効果】
【００１２】
請求項１記載の発明によれば、有機ＥＬパネルの透明電極を接地しているので、電源から印加される駆動電圧の電圧変動は、光放射側の透明電極とは反対側の背面電極の方向に発生する。しかも、有機ＥＬパネルの発光面を除く部分が導電性の筐体で全体的に覆われているので、電圧変動に起因して発生した輻射雑音の多くは筐体に吸収されるため、従来に比べて輻射雑音が外部に放射されるのを大幅に低減することができる。さらに、筐体は有機ＥＬ照明装置の取り付け部材の一部として兼用することができ、有機ＥＬパネルのみに着目したときには、従来のようなノイズ低減用電極を別途設ける必要がないため、有機ＥＬパネルの製作に余分なコストアップを招来することもない。
【００１３】
また、請求項２記載の発明によれば、有機発光層を挟む状態で同じ透明電極が形成されるので、有機ＥＬパネル製作時の電極形成が容易になる。また、有機ＥＬパネルと筐体との間に光反射材が配置されているので、背面電極を構成する透明電極を通過した光は光反射材で反射され、その反射光は透明電極および基板を通過して外部に放射することができ、光放射効率を高めることができる。また、請求項１記載の発明と同様、有機ＥＬパネルの発光面を除く部分が導電性の筐体で全体的に覆われているので、従来に比べて輻射雑音が外部に放射されるのを大幅に低減することができる。
【発明を実施するための最良の形態】
【００１４】
以下、本発明の実施の形態について、図面を参照して詳しく説明する。
［実施の形態１］
図１（ａ）は本発明の実施の形態１における有機ＥＬ照明装置の構成を示す縦断面図、図１（ｂ）は同有機ＥＬ照明装置の透明電極と背面電極とに印加される電圧の波形図である。
【００１５】
この実施の形態１の有機ＥＬ照明装置は、有機ＥＬパネル１を備える。この有機ＥＬパネル１は、ガラス板などでできた透明の基板２上に、ＩＴＯやＺｎＯなどの透明電極３、有機発光層４、および光反射用の金属膜からなる背面電極５が順次積層されて構成されている。そして、この有機ＥＬパネル１の発光面（図１（ａ）の場合は基板２の下面）を除く部分は、金属等の導電性の筐体６で全体的に覆われている。
【００１６】
また、この有機ＥＬパネル１を構成する透明電極３と背面電極５とが当該有機ＥＬパネル１の発光駆動用の駆動電源７に接続されている。この駆動電源７は、有機ＥＬパネル１をＰＷＭ制御によって調光するためにパルス状の電圧を発生するもので、この駆動電源７の正極が背面電極５に、負極が透明電極３にそれぞれ接続されている。さらに、この実施の形態１では、透明電極３が駆動電源７の負極と共に接地されている。
【００１７】
この構成の有機ＥＬ照明装置において、駆動電源７によって有機ＥＬパネル１を点灯駆動する場合、図１（ｂ）に示すように、背面電極５が陽極、透明電極３が陰極として作用するが、このとき、透明電極３は接地されているのでほぼ安定電位（接地電位）となり、背面電極５の電位が透明電極３に比較して正の向きに変動することになる。
【００１８】
このように、駆動電源７から印加される駆動電圧の変動は、光放射側の透明電極３とは反対側の背面電極５の方向に発生する。しかも、有機ＥＬパネル１の発光面を除く部分が導電性の筐体６で全体的に覆われているので、電圧変動に起因して発生した輻射雑音の多くは筐体６に吸収される。このため、従来に比べて輻射雑音が外部に放射されるのを大幅に低減することができる。
【００１９】
さらに、筐体６は有機ＥＬ照明装置の取り付け部材の一部として兼用することができ、一方、有機ＥＬパネル１のみに着目したときには、背面電極５に加えて従来のようなノイズ低減用電極を別途設ける必要がないため、有機ＥＬパネル１の製作に際して余分なコストアップを招来することもない。
［実施の形態２］
図２（ａ）は本発明の実施の形態２における有機ＥＬ照明装置の構成を示す縦断面図、図２（ｂ）は同有機ＥＬ照明装置の透明電極と背面電極とに印加される電圧の波形図であり、図１（ａ）に示した実施の形態１と対応する構成部分には同一の符号を付す。
【００２０】
この実施の形態２における有機ＥＬ照明装置の特徴は、駆動電源７の正極が透明電極３に、負極が背面電極５にそれぞれ接続されており、さらに、透明電極３が駆動電源７の正極と共に接地されている。
【００２１】
この構成の有機ＥＬ照明装置において、駆動電源７によって有機ＥＬパネル１を点灯駆動する場合、図２（ｂ）に示すように、背面電極５が陰極、透明電極３が陽極として作用するが、透明電極３は接地されているのでほぼ安定電位（接地電位）となり、背面電極５の電位が透明電極３に比較して負の向きに変動することになる。
【００２２】
したがって、この実施の形態２においても、実施の形態１の場合と同様に、駆動電源７から印加される駆動電圧の変動は、光放射側の透明電極３とは反対側の背面電極５の方向に発生する。しかも、有機ＥＬパネル１の発光面を除く部分が導電性の筐体６で全体的に覆われているので、電圧変動に起因して発生した輻射雑音の多くは筐体６に吸収される。このため、従来に比べて輻射雑音が外部に放射されるのを大幅に低減することができる。      
【００２３】
その他の構成、および作用効果は、実施の形態１と同様であるから、ここでは詳しい説明は省略する。
［実施の形態３］
図３（ａ）は本発明の実施の形態３における有機ＥＬ照明装置の構成を示す縦断面図、図３（ｂ）は同有機ＥＬ照明装置の透明電極と背面電極とに印加される電圧の波形図であり、図１（ａ）に示した実施の形態１と対応する構成部分には同一の符号を付す。
【００２４】
この実施の形態３の有機ＥＬ照明装置の特徴は、有機発光層４の背面側に位置する背面電極５が透明電極として形成されるとともに、有機ＥＬパネル１と筐体６との間に光反射材８が介在されていることである。なお、駆動電源７の正極が透明電極３に、負極が背面電極５にそれぞれ接続され、かつ、透明電極３が駆動電源７の負極と共に接地されている点は実施の形態１の場合と同じである。
【００２５】
このように、この実施の形態３の有機ＥＬ照明装置は、有機発光層４を挟む状態で同じ透明電極３，５が形成されるので、有機ＥＬパネル１製作時の電極形成が容易になる。
【００２６】
また、有機ＥＬパネル１と筐体６との間に光反射材８が配置されているので、透明な背面電極５を通過した光は光反射材８で反射され、その反射光は透明電極３および基板２を通過して外部に放射されるので光放射効率が高まる。
【００２７】
さらに、上記の実施の形態１，２の場合と同様、有機ＥＬパネル１の発光面を除く部分が導電性の筐体６で全体的に覆われているので、従来に比べて輻射雑音が外部に放射されるのを大幅に低減することができる。
【００２８】
その他の構成、および作用効果は、実施の形態１と同様であるから、ここでは詳しい説明は省略する。
【００２９】
なお、この実施の形態３では、光反射材７を筐体６の内面に別途取り付けているが、筐体６の内面にメッキ処理等によって光反射材を形成することも可能である。また、この実施の形態３において、駆動電源７の接続状態は、実施の形態２の場合と同じであってもよい。
【００３０】
本発明は上記の実施の形態１〜３の構成に限定されるものではなく、本発明の趣旨を逸脱しない範囲内において、種々の変形を加えることが可能である。
【図面の簡単な説明】
【００３１】
【図１】（ａ）は本発明の実施の形態１における有機ＥＬ照明装置の縦断面図、（ｂ）は同有機ＥＬ照明装置の透明電極と背面電極とに印加される電圧の波形図である。
【図２】（ａ）は本発明の実施の形態２における有機ＥＬ照明装置の縦断面図、（ｂ）は同有機ＥＬ照明装置の透明電極と背面電極とに印加される電圧の波形図である。
【図３】（ａ）は本発明の実施の形態３における有機ＥＬ照明装置の縦断面図、（ｂ）は同有機ＥＬ照明装置の透明電極と背面電極とに印加される電圧の波形図である。
【符号の説明】
【００３２】
１    有機ＥＬパネル
２    基板
３    透明電極
４    有機発光層
５    背面電極
６    筐体
７    駆動電源
８    光反射材
【図１】
2007227523.tif 000003
【図２】
2007227523.tif 000004
【図３】
2007227523.tif 000005